(57)【要約】【課題】コントローラの負荷を小さくすることができ、また各照明装置間における伝送遅れを防止できる照明システムを提供することを目的とする。【解決手段】スケジュールデータやカレンダデータ、パターンデータを作成して登録するコントローラ１と、スケジュールデータやカレンダデータをコントローラから受信して登録するスケジューラ２と、パターンデータをコントローラから受信して登録する複数の照明装置Ｌ１〜Ｌｉとを有する照明システムであって、コントローラは、複数の照明装置のシーンデータを作成して登録するシーン登録手段と、シーンデータを送信するシーン送信手段と、スケジュールデータを作成して登録するスケジュール登録手段と、スケジュールデータを送信するスケジュール送信手段と、カレンダデータを作成して登録するカレンダ登録手段と、カレンダデータを送信するカレンダ送信手段とを有する。【選択図】  図１
2004158370.tif 000002
【特許請求の範囲】
【請求項１】
２４時間を複数のシーンデータで構成したスケジュールデータや年月日と前記スケジュールデータとを対応付けたカレンダデータ、複数のパターン要素データから成るパターンデータを作成して登録するコントローラと、前記スケジュールデータや前記カレンダデータを前記コントローラから受信して登録するスケジューラと、前記パターンデータを前記コントローラから受信して登録する複数の照明装置とを有する照明システムであって、
前記コントローラは、前記複数の照明装置のそれぞれについての前記パターンデータを集合したシーンデータを作成して登録するシーン登録手段と、前記登録したシーンデータを前記複数の照明装置に送信するシーン送信手段と、前記スケジュールデータを作成して登録するスケジュール登録手段と、前記登録したスケジュールデータを前記スケジューラへ送信するスケジュール送信手段と、前記カレンダデータを作成して登録するカレンダ登録手段と、前記登録したカレンダデータを前記スケジューラへ送信するカレンダ送信手段とを有することを特徴とする照明システム。
【請求項２】
前記コントローラは、メインメニュー画面を表示するメインメニュー画面表示手段と、前記表示したメインメニュー画面における指示に基づいて、前記シーン登録手段、前記シーン送信手段、前記スケジュール登録手段、前記スケジュール送信手段、前記カレンダ登録手段または前記カレンダ送信手段を選択する登録送信選択手段とを有することを特徴とする請求項１に記載の照明システム。
【請求項３】
前記スケジューラの制御部は、前記スケジュールデータおよび前記カレンダデータを不揮発性メモリに記憶させることを特徴とする請求項１または２に記載の照明システム。
【請求項４】
前記複数の照明装置の制御部は、前記パターンデータを不揮発性メモリに記憶させることを特徴とする請求項１乃至３のいずれか１に記載の照明システム。
【請求項５】
前記シーン登録手段は、シーン一覧画面を表示するシーン一覧画面表示手段と、前記表示したシーン一覧画面における指示に基づいてシーン名称を選択するシーン名称選択手段と、前記選択したシーン名称に基づいてシーン登録画面を表示するシーン登録画面表示手段と、前記表示したシーン登録画面における指示に基づいてシーンを作成して登録するシーン作成手段とを有することを特徴とする請求項１乃至４のいずれか１に記載の照明システム。
【請求項６】
前記シーン送信手段は、シーン一覧画面を表示するシーン一覧画面表示手段と、前記表示したシーン一覧画面における指示に基づいてシーン名称を選択するシーン名称選択手段と、前記選択したシーン名称に基づくシーンを前記複数の照明装置へ送信する照明装置送信手段とを有することを特徴とする請求項１乃至５のいずれか１に記載の照明システム。
【請求項７】
前記スケジュール登録手段は、スケジュール一覧画面を表示するスケジュール一覧画面表示手段と、前記表示したスケジュール一覧画面における指示に基づいてスケジュール名称を選択するスケジュール名称選択手段と、前記選択したスケジュール名称に基づいてスケジュール登録画面を表示するスケジュール登録画面表示手段と、前記表示したスケジュール登録画面における指示に基づいてスケジュールを作成して登録するスケジュール作成手段とを有することを特徴とする請求項１乃至６のいずれか１に記載の照明システム。
【請求項８】
前記スケジュール送信手段は、スケジュール一覧画面を表示するスケジュール一覧画面表示手段と、前記表示したスケジュール一覧画面における指示に基づいてスケジュール名称を選択するスケジュール名称選択手段と、前記選択したスケジュール名称に対応するスケジュールデータを前記スケジューラへ送信するスケジューラ送信手段とを有することを特徴とする請求項１乃至７のいずれか１に記載の照明システム。
【請求項９】
前記カレンダ登録手段は、カレンダ登録画面を表示するカレンダ登録画面表示手段と、前記表示したカレンダ登録画面における指示に基づいて年月日を選択する登録年月日選択手段と、前記表示したカレンダ登録画面における指示に基づいてスケジュール名称を選択するスケジュール名称選択手段と、前記表示したカレンダ登録画面における指示に基づいてカレンダ作成完了か否かを判定すると共にカレンダ作成完了の場合には作成完了したカレンダデータを登録する作成完了判定手段とを有することを特徴とする請求項１乃至８のいずれか１に記載の照明システム。
【請求項１０】
前記カレンダ送信手段は、カレンダ登録画面を表示するカレンダ登録画面表示手段と、前記表示したカレンダ登録画面における指示に基づいて選択したカレンダデータを前記スケジューラへ送信するスケジューラ送信手段とを有することを特徴とする請求項１乃至９のいずれか１に記載の照明システム。
【請求項１１】
前記スケジューラの制御部は、時刻合せインターバルタイムが経過したか否かを判定する時間経過判定手段と、前記時間経過判定手段において前記時刻合せインターバルタイムが経過したと判定したときには実時間クロックから現在時刻を読み出す時刻読出し手段と、前記読み出した現在時刻をネットワークを介して前記複数の照明装置へ同報送信する現在時刻同報送信手段と、前記時間経過判定手段において前記時刻合せインターバルタイムが経過していないと判定したとき又は前記同報送信した後には現在日時に基づいてカレンダデータが登録されたカレンダ部およびスケジュールデータが登録されたスケジュール部から点灯指令シーンを検索する点灯指令シーン検索手段と、前記検索した点灯指令シーンの番号を前記複数の照明装置へ同報送信する点灯指令シーン同報送信手段とを有することを特徴とする請求項１乃至１０のいずれか１に記載の照明システム。
【請求項１２】
前記照明装置の制御部は、前記読み出した現在時刻の受信か、前記点灯指令シーンの番号の受信か又はＮ秒毎にパターン要素の点灯を決定して点灯させるためのＮ秒インターバルかを判定する処理判定手段と、前記処理判定手段において前記読み出した現在時刻の受信と判定したときは受信した前記現在時刻に基づいて時刻設定を行う時刻設定手段と、前記処理判定手段において前記点灯指令シーンの番号の受信と判定したときは前記点灯指令シーンの番号に対応したパターンデータを不揮発性メモリから読み出してＲＡＭに書き込む第１のＲＡＭ書込み手段と、前記ＲＡＭからパターンデータを読み出す第１のＲＡＭ読出し手段と、前記読み出したパターンデータに基づいてパターン要素の区切りを算出する第１の演算処理手段と、前記算出したパターン要素の区切りに基づいて１パターンの区切りの算出および現在のパターン要素は何番目の要素かの判定を行う第２の演算処理手段と、前記第２の演算処理手段における結果のパターン要素で点灯する第１のパターン要素点灯手段と、前記処理判定手段において前記Ｎ秒インターバルと判定したときは前記スケジューラから最終的に受け取ったシーン番号に対応するパターンデータを読み出してＲＡＭに書き込む第２のＲＡＭ書込み手段と、前記ＲＡＭからパターンデータを読み出す第２のＲＡＭ読出し手段と、前記読み出したパターンデータに基づいてパターン要素の区切りを算出する第３の演算処理手段と、前記読み出したパターンデータに基づいてパターン要素の区切りか否かを判定するパターン要素区切り判定手段と、前記パターン要素区切り判定手段においてパターン要素の区切りと判定したときは前記算出したパターン要素の区切りに基づいて１パターンの区切りの算出および現在のパターン要素は何番目の要素かの判定を行う第４の演算処理手段と、前記第４の演算処理手段における結果のパターン要素で点灯する第２のパターン要素点灯手段とを有することを特徴とする請求項１１に記載の照明システム。
【発明の詳細な説明】
【０００１】
【発明の属する技術分野】
本発明は、２４時間を複数のシーンデータで構成したスケジュールデータや年月日とスケジュールデータとを対応付けたカレンダデータ、複数のパターン要素データから成るパターンデータを作成して登録するコントローラと、スケジュールデータやカレンダデータをコントローラから受信して登録するスケジューラと、パターンデータをコントローラから受信して登録する複数の照明装置とを有する照明システムに関するものである。
【０００２】
【従来の技術】
従来から、最も普通の光の３原色である赤、緑、青を組み合わせて任意の色を発光できることが知られている。赤、緑、青を発光させる素子を多数組み合わせて大きなスクリーンを構成する場合、発光素子の数が膨大となり、各発光素子に信号を与えるタイミングが問題となる。
図２０は、従来の照明システムを示すブロック図であり、例えば特表２００１−５１４４３２号公報に記載されている照明システムである。この照明システムにおいては、通信規格ＤＭＸ５１２が用いられている。
図２０において、１０１はコントローラとしてのＰＣ、１０２〜１０５は赤、緑、青の発光素子が多数組み合わされた照明装置、１０６はＬＡＮ等のネットワークである。
図２０に示すように、この照明システムでは、照明パターンを制御するパターン制御用コントローラ１０１と、複数の照明装置１０２〜１０５とが同一ネットワーク１０６に接続されている。パターン制御用のコントローラ１０１は、各照明装置１０２〜１０５の点灯パターンを持っており、随時照明装置１０２〜１０５へ点灯指令パターンを送信し、受信した照明装置１０２〜１０５は、その点灯指令パターンに基づいて点灯する。
【０００３】
【発明が解決しようとする課題】
このように、従来の照明システムでは、コントローラ１０１は随時照明装置１０２〜１０５へ点灯指令パターンを送信しているので、コントローラ１０１の負荷が大きく、伝送速度の限界上、初めの照明装置と最後の照明装置とで伝送遅れが発生し、各照明装置間の点灯タイミングのずれが発生し、所望の発光色が得られないという問題点を有していた。
本発明は、コントローラの負荷を小さくすることができ、また各照明装置間における伝送遅れを防止することができる照明システムを提供することを目的とする。
【０００４】
【課題を解決するための手段】
上記課題を解決するために本発明の照明システムは、２４時間を複数のシーンデータで構成したスケジュールデータや年月日とスケジュールデータとを対応付けたカレンダデータ、複数のパターン要素データから成るパターンデータを作成して登録するコントローラと、スケジュールデータやカレンダデータをコントローラから受信して登録するスケジューラと、パターンデータをコントローラから受信して登録する複数の照明装置とを有する照明システムであって、コントローラは、複数の照明装置のそれぞれについてのパターンデータを集合したシーンデータを作成して登録するシーン登録手段と、登録したシーンデータを複数の照明装置に送信するシーン送信手段と、スケジュールデータを作成して登録するスケジュール登録手段と、登録したスケジュールデータをスケジューラへ送信するスケジュール送信手段と、カレンダデータを作成して登録するカレンダ登録手段と、登録したカレンダデータをスケジューラへ送信するカレンダ送信手段とを有する構成を備えている。
これにより、コントローラの負荷を小さくすることができ、また各照明装置間における伝送遅れを防止することができる照明システムが得られる。
【０００５】
【発明の実施の形態】
本発明の請求項１に記載の照明システムは、２４時間を複数のシーンデータで構成したスケジュールデータや年月日とスケジュールデータとを対応付けたカレンダデータ、複数のパターン要素データから成るパターンデータを作成して登録するコントローラと、スケジュールデータやカレンダデータをコントローラから受信して登録するスケジューラと、パターンデータをコントローラから受信して登録する複数の照明装置とを有する照明システムであって、コントローラは、複数の照明装置のそれぞれについてのパターンデータを集合したシーンデータを作成して登録するシーン登録手段と、登録したシーンデータを複数の照明装置に送信するシーン送信手段と、スケジュールデータを作成して登録するスケジュール登録手段と、登録したスケジュールデータをスケジューラへ送信するスケジュール送信手段と、カレンダデータを作成して登録するカレンダ登録手段と、登録したカレンダデータをスケジューラへ送信するカレンダ送信手段とを有することとしたものである。
この構成により、スケジューラはスケジュールデータとカレンダデータを登録し、各照明装置はパターンデータを登録しており、スケジューラはスケジュールデータとカレンダデータとに基づくパターン番号のみを各照明装置に送信すればよく、また各照明装置はパターン番号のみを受信してパターン制御を行うことができるので、コントローラの負担を従来と比べて大幅に軽減することができ、また照明システムにおける制御を極めて簡単なものにすることができるという作用を有する。ここで、スケジュール登録手段とカレンダ登録手段とは、請求項１に記載したような各個別の手段とせず、これらを組合わせた１つの手段としてもよい。
【０００６】
請求項２に記載の照明システムは、請求項１に記載の照明システムにおいて、コントローラは、メインメニュー画面を表示するメインメニュー画面表示手段と、表示したメインメニュー画面における指示に基づいて、シーン登録手段、シーン送信手段、スケジュール登録手段、スケジュール送信手段、カレンダ登録手段またはカレンダ送信手段を選択する登録送信選択手段とを有することとしたものである。
この構成により、メインメニュー画面に基づいて容易に各手段による各動作を行わせることができるという作用を有する。
【０００７】
請求項３に記載の照明システムは、請求項１または２に記載の照明システムにおいて、スケジューラの制御部は、スケジュールデータおよびカレンダデータを不揮発性メモリに記憶させることとしたものである。
この構成により、いったん登録したスケジュールデータとカレンダデータとは消滅することがないので、再度登録する必要がないという作用を有する。
【０００８】
請求項４に記載の照明システムは、請求項１乃至３のいずれか１に記載の照明システムにおいて、複数の照明装置の制御部は、パターンデータを不揮発性メモリに記憶させることとしたものである。
この構成により、いったん登録したパターンデータは消滅することがないので、再度登録する必要がないという作用を有する。
【０００９】
請求項５に記載の照明システムは、請求項１乃至４のいずれか１に記載の照明システムにおいて、シーン登録手段は、シーン一覧画面を表示するシーン一覧画面表示手段と、表示したシーン一覧画面における指示に基づいてシーン名称を選択するシーン名称選択手段と、選択したシーン名称に基づいてシーン登録画面を表示するシーン登録画面表示手段と、表示したシーン登録画面における指示に基づいてシーンを作成して登録するシーン作成手段とを有することとしたものである。
この構成により、シーン作成登録の操作において、操作者は表示画面のみを見て操作すればよく、操作を簡単かつ確実に行うことができるという作用を有する。
【００１０】
請求項６に記載の照明システムは、請求項１乃至５のいずれか１に記載の照明システムにおいて、シーン送信手段は、シーン一覧画面を表示するシーン一覧画面表示手段と、表示したシーン一覧画面における指示に基づいてシーン名称を選択するシーン名称選択手段と、選択したシーン名称に基づくシーンを複数の照明装置へ送信する照明装置送信手段とを有することとしたものである。
この構成により、操作者は表示画面のみを見て操作すればよく、シーンを簡単かつ確実に送信することができるという作用を有する。
【００１１】
請求項７に記載の照明システムは、請求項１乃至６のいずれか１に記載の照明システムにおいて、スケジュール登録手段は、スケジュール一覧画面を表示するスケジュール一覧画面表示手段と、表示したスケジュール一覧画面における指示に基づいてスケジュール名称を選択するスケジュール名称選択手段と、選択したスケジュール名称に基づいてスケジュール登録画面を表示するスケジュール登録画面表示手段と、表示したスケジュール登録画面における指示に基づいてスケジュールを作成して登録するスケジュール作成手段とを有することとしたものである。
この構成により、スケジュール作成登録の操作において、操作者は表示画面のみを見て操作すればよく、操作を簡単かつ確実に行うことができるという作用を有する。
【００１２】
請求項８に記載の照明システムは、請求項１乃至７のいずれか１に記載の照明システムにおいて、スケジュール送信手段は、スケジュール一覧画面を表示するスケジュール一覧画面表示手段と、表示したスケジュール一覧画面における指示に基づいてスケジュール名称を選択するスケジュール名称選択手段と、選択したスケジュール名称に対応するスケジュールデータをスケジューラへ送信するスケジューラ送信手段とを有することとしたものである。
この構成により、操作者は表示画面のみを見て操作すればよく、スケジュールデータを簡単かつ確実に送信することができるという作用を有する。
【００１３】
請求項９に記載の照明システムは、請求項１乃至８のいずれか１に記載の照明システムにおいて、カレンダ登録手段は、カレンダ登録画面を表示するカレンダ登録画面表示手段と、表示したカレンダ登録画面における指示に基づいて年月日を選択する登録年月日選択手段と、表示したカレンダ登録画面における指示に基づいてスケジュール名称を選択するスケジュール名称選択手段と、表示したカレンダ登録画面における指示に基づいてカレンダ作成完了か否かを判定すると共にカレンダ作成完了の場合には作成完了したカレンダデータを登録する作成完了判定手段とを有することとしたものである。
この構成により、カレンダ作成登録の操作において、操作者は表示画面のみを見て操作すればよく、操作を簡単かつ確実に行うことができるという作用を有する。
【００１４】
請求項１０に記載の照明システムは、請求項１乃至９のいずれか１に記載の照明システムにおいて、カレンダ送信手段は、カレンダ登録画面を表示するカレンダ登録画面表示手段と、表示したカレンダ登録画面における指示に基づいて選択したカレンダデータをスケジューラへ送信するスケジューラ送信手段とを有することとしたものである。
この構成により、操作者は表示画面のみを見て操作すればよく、カレンダデータを簡単かつ確実に送信することができるという作用を有する。
【００１５】
請求項１１に記載の照明システムは、請求項１乃至１０のいずれか１に記載の照明システムにおいて、スケジューラの制御部は、時刻合せインターバルタイムが経過したか否かを判定する時間経過判定手段と、時間経過判定手段において時刻合せインターバルタイムが経過したと判定したときには実時間クロックから現在時刻を読み出す時刻読出し手段と、読み出した現在時刻をネットワークを介して複数の照明装置へ同報送信する現在時刻同報送信手段と、時間経過判定手段において時刻合せインターバルタイムが経過していないと判定したとき又は同報送信した後には現在日時に基づいてカレンダデータが登録されたカレンダ部およびスケジュールデータが登録されたスケジュール部から点灯指令シーンを検索する点灯指令シーン検索手段と、検索した点灯指令シーンの番号を複数の照明装置へ同報送信する点灯指令シーン同報送信手段とを有することとしたものである。
この構成により、時刻合せインターバルタイムが経過した場合には実時間クロックから現在時刻を読み出し、読み出した現在時刻をネットワークを介して複数の照明装置へ同報送信するので、複数の照明装置は互いに正確な時刻合せを行うことができ、その合せた時刻に応じてパターン要素を選択してパターン表示を行うことができ、パターン表示において各照明装置間に伝送遅れが生じることを防止することができ、また、カレンダデータとスケジュールデータに基づいて検索した点灯指令シーンの番号を各照明装置へ送信するようにしたので、各照明装置への送信を短時間に行うことができると共に各照明装置の制御を容易に行うことができるという作用を有する。
【００１６】
請求項１２に記載の照明システムは、請求項１１に記載の照明システムにおいて、照明装置の制御部は、読み出した現在時刻の受信か、点灯指令シーンの番号の受信か又はＮ秒毎にパターン要素の点灯を決定して点灯させるためのＮ秒インターバルかを判定する処理判定手段と、処理判定手段において読み出した現在時刻の受信と判定したときは受信した現在時刻に基づいて時刻設定を行う時刻設定手段と、処理判定手段において点灯指令シーンの番号の受信と判定したときは点灯指令シーンの番号に対応したパターンデータを不揮発性メモリから読み出してＲＡＭに書き込む第１のＲＡＭ書込み手段と、ＲＡＭからパターンデータを読み出す第１のＲＡＭ読出し手段と、読み出したパターンデータに基づいてパターン要素の区切りを算出する第１の演算処理手段と、算出したパターン要素の区切りに基づいて１パターンの区切りの算出および現在のパターン要素は何番目の要素かの判定を行う第２の演算処理手段と、第２の演算処理手段における結果のパターン要素で点灯する第１のパターン要素点灯手段と、処理判定手段においてＮ秒インターバルと判定したときはスケジューラから最終的に受け取ったシーン番号に対応するパターンデータを読み出してＲＡＭに書き込む第２のＲＡＭ書込み手段と、ＲＡＭからパターンデータを読み出す第２のＲＡＭ読出し手段と、前記読み出したパターンデータに基づいてパターン要素の区切りを算出する第３の演算処理手段と、前記読み出したパターンデータに基づいてパターン要素の区切りか否かを判定するパターン要素区切り判定手段と、前記パターン要素区切り判定手段においてパターン要素の区切りと判定したときは前記算出したパターン要素の区切りに基づいて１パターンの区切りの算出および現在のパターン要素は何番目の要素かの判定を行う第４の演算処理手段と、前記第４の演算処理手段における結果のパターン要素で点灯する第２のパターン要素点灯手段とを有することとしたものである。
この構成により、スケジューラから同報送信される現在時刻を受信したときには受信した現在時刻に基づいて時刻設定を行うので、各照明装置における時刻を互いに正確に一致させることができ、また、スケジューラから同報送信される点灯指令シーンの番号を受信したときは、シーン番号に対応したパターンデータを不揮発性メモリから読み出し、正確に設定した時刻により選択したパターン要素に基づいて各照明装置における発光素子（たとえばＬＥＤ）を点灯させることができ、さらに、Ｎ秒毎に現在時刻におけるパターン要素を確認して正確なパターン要素を選択することができるので、パターン要素に基づく各発光素子の点灯を伝送遅れなく正確に行うことができるという作用を有する。
【００１７】
以下、本発明の実施の形態について、図１〜図１９を用いて説明する。
（実施の形態１）
図１は本発明の実施の形態１による照明システムを示すブロック図である。
図１において、１はＰＣ（コントローラ）、１ａはＬＡＮ等のネットワーク、２はスケジューラ、３はスケジューラ２の制御部、Ｌ１〜Ｌｉは照明装置、Ｃ１〜Ｃｉは照明装置Ｌ１〜Ｌｉの制御部である。コントローラ１は、２４時間を複数のシーンデータで構成したスケジュールデータや年月日とスケジュールデータとを対応付けたカレンダデータを作成して登録すると共に、複数のパターン要素データから成るパターンデータ（照明パターンデータ）を作成して登録する。またスケジューラ２は、スケジュールデータやカレンダデータをコントローラ１から受信して登録し、照明装置Ｌ１〜Ｌｉは、パターンデータをコントローラ１から受信して登録する。
【００１８】
図１の照明システムにおける動作としては、コントローラ１により各種データ（パターンデータを集合したシーンデータ、スケジュールデータ、カレンダデータなど）を作成し登録して、登録した各種データをスケジューラ２と照明装置Ｌ１〜Ｌｉへ送信する登録動作と、スケジューラ２による照明装置Ｌ１〜Ｌｉの制御動作（点灯指令シーンの番号の送信動作など）と、照明装置Ｌ１〜Ｌｉにおける点灯動作とがある。照明装置Ｌ１〜Ｌｉは、赤、緑、青または赤、緑、青、白を発光させる素子を組み合わせて均等に配設した発光面を有するものであり、各色の輝度を調整して発光させることによって種々の色を発光させることができる。
【００１９】
図２はコントローラ１において登録動作を行う各種手段を示す機能ブロック図であり、図３は図２のスケジュール作成手段を示す機能ブロック図である。
図２、図３において、１１はメインメニュー画面を表示するメインメニュー画面表示手段、１２は表示したメインメニュー画面における指示に基づいて、後述のシーン登録手段、シーン送信手段、スケジュール登録手段、スケジュール送信手段、カレンダ登録手段またはカレンダ送信手段を選択する登録送信選択手段、１３はシーン一覧画面を表示するシーン一覧画面表示手段、１４は表示したシーン一覧画面における指示に基づいてシーン名称を選択するシーン名称選択手段、１５は選択したシーン名称に基づいてシーン登録画面を表示するシーン登録画面表示手段、１６は表示したシーン登録画面における指示に基づいてシーンを作成して登録するシーン作成手段、１７は選択したシーン名称を複数の照明装置Ｌ１〜Ｌｉへ同報送信する照明装置送信手段、１８はスケジュール一覧画面を表示するスケジュール一覧画面表示手段、１９は表示したスケジュール一覧画面における指示に基づいてスケジュール名称を選択するスケジュール名称選択手段、２０は選択したスケジュール名称に基づいてスケジュール登録画面を表示するスケジュール登録画面表示手段、２１は表示したスケジュール登録画面における指示に基づいてスケジュールを作成して登録するスケジュール作成手段、２２は選択したスケジュール名称をスケジューラへ同報送信するスケジューラ送信手段、２３はカレンダ登録画面を表示するカレンダ登録画面表示手段、２４は表示したカレンダ登録画面における指示に基づいて年月日を選択する登録年月日選択手段、２５は表示したカレンダ登録画面における指示に基づいてカレンダ作成完了か否かを判定すると共にカレンダ作成完了の場合には作成完了したカレンダデータを登録する作成完了判定手段である。また、スケジュール作成手段２１は、図３に示すようにスケジュール登録画面に基づいてシーン毎の終了時刻を入力するシーン終了時刻入力手段２１１と、シーン終了時刻に対応するシーン名称を特定するシーン名称特定手段２１２と、終了時刻が２４時か否かを判定し、２４時の場合には作成したスケジュールを登録する終了時刻判定手段２１３とを有する。
【００２０】
このように構成された照明システムについて、登録動作を図４〜図１０を用いて説明する。図４は照明システムにおける登録動作を示すフローチャートであり、図５はメインメニュー画面を示す画面図、図６は照明シーン一覧画面を示す画面図、図７は照明シーン登録画面を示す画面図、図８は照明スケジュール一覧画面を示す画面図、図９は照明スケジュール登録画面を示す画面図、図１０はカレンダ登録画面を示す画面図である。
【００２１】
図４において、まず、メインメニュー画面表示手段１１は、図５のメインメニュー画面を表示し（Ｓ０１）、登録送信選択手段１２は、表示したメインメニュー画面における指示に基づいて、シーン登録手段（ステップＳ１〜Ｓ８の動作を行う手段）、シーン送信手段（ステップＳ１１〜Ｓ１６の動作を行う手段）、スケジュール登録手段（ステップＳ２１〜Ｓ２７の動作を行う手段）、スケジュール送信手段（ステップＳ３１〜Ｓ３３の動作を行う手段）、カレンダ登録手段（ステップＳ４１〜Ｓ４５の動作を行う手段）またはカレンダ送信手段（ステップＳ５１〜Ｓ５３の動作を行う手段）を選択する（Ｓ０２）。
【００２２】
ステップＳ０２においてシーン登録手段が選択された場合、まず、シーン一覧画面表示手段１３は図６のシーン一覧画面（照明シーン一覧画面）を表示し（Ｓ１）、シーン名称選択手段１４は表示したシーン一覧画面における指示に基づいてシーン名称を選択する（Ｓ２）。図６において、例えばシーン番号１に示すシーン名称はレインボーである。既に登録されたシーン名称を選択する場合は最上欄の修正（Ｆ３）を選択し（クリックし）、新規の場合は最上欄の新規作成（Ｆ２）を選択する。次に、シーン登録画面表示手段１５は図６で選択したシーン名称に基づいて図７のシーン登録画面（照明シーン登録画面）を表示し（Ｓ３）、次に、シーン作成手段１６は表示したシーン登録画面における指示に基づいてシーンデータを作成して登録する（Ｓ４〜Ｓ８）。シーン作成手段１６においては、まず、照明装置の番号ｉを１に設定し（Ｓ４）、照明装置番号Ｌ１のパターンデータＡ（或る特定のパターンデータ）を作成する（Ｓ５）。これを最後の照明装置まで繰り返す（Ｓ５〜Ｓ７）。最後の照明装置Ｌｉ（ｉｍａｘ）のパターンデータを作成すると、各パターンデータを集合したシーンデータを登録する（Ｓ８）。なお、各パターンにおける色はカラーパレット２６から選択される（図７参照）。
【００２３】
ステップＳ０２においてシーン送信手段が選択された場合、まず、シーン一覧画面表示手段１３は図６のシーン一覧画面を表示し（Ｓ１１）、照明装置の番号を１に設定し（Ｓ１２）、シーン名称選択手段１４は表示したシーン一覧画面における指示に基づいて送信するシーン名称を選択する（Ｓ１３）。図６において、例えばシーン番号１に示すシーン名称はレインボーである。なお、図６のマーク＊は送信が完了していないシーン（シーン番号およびシーンデータ）であることを示す。次に、照明装置送信手段１７は、選択したシーンに対応する点灯パターンデータ（パターンデータ）を照明装置Ｌ１へ送信する（Ｓ１４）。これを最後の照明装置Ｌｉまで繰り返す（Ｓ１５、Ｓ１６）。最後の照明装置Ｌｉのパターンデータを送信すると、この処理を終了する。
【００２４】
ステップＳ０２においてスケジュール登録手段が選択された場合、まず、スケジュール一覧画面表示手段１８は図８のスケジュール一覧画面（照明スケジュール一覧画面）を表示し（Ｓ２１）、スケジュール名称選択手段１９は表示したスケジュール一覧画面における指示に基づいてスケジュール名称を選択する（Ｓ２２）。図８において、例えばスケジュール番号１に示すスケジュール名称は平日である。既に登録されたスケジュール名称を選択する場合は最上欄の修正（Ｆ３）を選択し（クリックし）、新規の場合は最上欄の新規作成（Ｆ２）を選択する。なお、図８のマーク＊は送信が完了していないスケジュールであることを示す。次に、スケジュール登録画面表示手段２０は選択したスケジュール名称に基づいて図９のスケジュール登録画面（照明スケジュール登録画面）を表示し（Ｓ２３）、次に、スケジュール作成手段２１は表示したスケジュール登録画面における指示に基づいてスケジュールを作成して登録する（Ｓ２４〜Ｓ２７）。スケジュール作成手段２１においては、まず、シーン終了時刻入力手段２１１は、スケジュール登録画面に基づいてシーン毎の終了時刻を入力し（Ｓ２４）、シーン名称特定手段２１２は、シーン終了時刻に対応するシーン名称を特定し（Ｓ２５）、終了時刻判定手段２１３は、終了時刻が２４時か否かを判定し（Ｓ２６）、２４時の場合には作成したスケジュールを登録する（Ｓ２７）。２４時でないと判定した場合にはステップＳ２４へ戻る。
【００２５】
ステップＳ０２においてスケジュール送信手段が選択された場合、まず、スケジュール一覧画面表示手段１８は、図８のスケジュール一覧画面を表示し（Ｓ３１）、スケジュール名称選択手段１９は、表示したスケジュール一覧画面における指示に基づいて送信するスケジュール名称を選択する（Ｓ３２）。図８において、例えばスケジュール番号１に示すスケジュール名称は平日である。次に、スケジューラ送信手段２２は、選択したスケジュール名称に対応するスケジュールデータ（一つ又は複数のシーン番号から成る１日分のデータ）をスケジューラ２へ送信する（Ｓ３３）。
【００２６】
ステップＳ０２においてカレンダ登録手段が選択された場合、まず、カレンダ登録画面表示手段２３は、図１０のカレンダ登録画面を表示し（Ｓ４１）、登録年月日選択手段２４は、登録する年月日を選択する（Ｓ４２）。次に、スケジュール名称選択手段１９は、カレンダ登録画面において表示されているスケジュール名称の中のいずれかを選択する（Ｓ４３）。図１０において、例えばスケジュール番号１に示すスケジュール名称は平日である。次に、作成完了判定手段２５はカレンダの作成が完了したか否かを判定し（Ｓ４４）、完了していなければステップＳ４２へ戻り、完了していれば、作成したカレンダデータを登録する（Ｓ４５）。
【００２７】
ステップＳ０２においてカレンダ送信手段が選択された場合、まず、カレンダ登録画面表示手段２３は、図１０のカレンダ登録画面を表示し（Ｓ５１）、登録年月日選択手段２４は、送信する登録年月日を選択する（Ｓ５２）。次に、スケジューラ送信手段２２は、選択した登録年月日のカレンダデータをスケジューラ２へ送信する（Ｓ５３）。
ここで、スケジュール登録手段とカレンダ登録手段とは、図４に示すような各個別の手段とせず、これらを組合わせた１つの手段としてもよい。
【００２８】
次に、スケジューラにおける照明装置制御動作について説明する。
図１１は、図１の照明システムを構成するスケジューラ２を示すブロック図である。
図１１において、３は全体を制御する制御部（ＣＰＵ）、４はデータを送受信する送受信部、５は不揮発性メモリとしてのＥＥＰＲＯＭ、６はバッテリーバックアップ付のＲＴＣ（実時間クロック）である。
【００２９】
図１２は、図１１の不揮発性メモリ５の登録領域を示すデータ図である。図１２に示すように、不揮発性メモリ５は登録領域として、カレンダデータ（月日、正確には年月日とスケジュール番号を示すデータ）を登録するカレンダ部５１と、スケジュール番号の示すスケジュールデータ（シーン番号と時刻を示すデータ）を登録するスケジュール部５２とを有する。なお、図１２の指令シーンにはシーン番号が示されているが、これらのシーン番号は、対象となる照明装置毎に内容は異なるが番号としては共通のものである。対象となる全照明装置のパターンを集合したものがシーンである。すなわち、スケジュールデータは、２４時間を一つ又は複数のシーン番号で構成したものである。
【００３０】
図１３は、スケジューラ２の制御部３における機能実現手段（プログラムを実行することにより実現される手段）を示す機能ブロック図である。
図１３において、３１は時刻合せインターバルタイムが経過したか否かを判定する時間経過判定手段、３２は時間経過判定手段３１において時刻合せインターバルタイムが経過したと判定したときには実時間クロック（ＲＴＣ）６から現在時刻を読み出す時刻読出し手段、３３は読み出した現在時刻をネットワーク１ａを介して複数の照明装置Ｌ１〜Ｌｉへ同報送信する現在時刻同報送信手段、３４は時間経過判定手段３１において時刻合せインターバルタイムが経過していないと判定したときには現在日時に基づいてカレンダデータが登録されたカレンダ部５１およびスケジュールデータが登録されたスケジュール部５２から点灯指令シーンを検索する点灯指令シーン検索手段、３５は検索した点灯指令シーンの番号が前回送信した点灯指令シーンの番号と同じ場合には複数の照明装置Ｌ１〜Ｌｉへの同報送信を行わないようにする点灯指令シーン判定手段、３６は検索した点灯指令シーンの番号が前回送信した点灯指令シーンの番号と異なる場合には検索した点灯指令シーンの番号を複数の照明装置Ｌ１〜Ｌｉへ同報送信する点灯指令シーン同報送信手段である。
【００３１】
このように構成されたスケジューラ２の制御部３について、その動作を図１４を用いて説明する。図１４は図１１の制御部３の動作を示すフローチャートである。
図１４において、まず、時間経過判定手段３１は時刻合せインターバルタイムが経過したか否かを判定し（Ｓ６１）、時刻合せインターバルタイムが経過したと判定したときには時刻読出し手段３２は、実時間クロック（ＲＴＣ）６から現在時刻を読み出し（Ｓ６２）、現在時刻同報送信手段３３は、読み出した現在時刻をネットワーク１ａを介して複数の照明装置Ｌ１〜Ｌｉへ同報送信する（Ｓ６３）。時間経過判定手段３１において時刻合せインターバルタイムが経過していないと判定したときには点灯指令シーン検索手段３４は、現在日時に基づいて、カレンダデータが登録されたカレンダ部５１およびスケジュールデータが登録されたスケジュール部５２から点灯指令シーンを検索する（Ｓ６４）。次に、点灯指令シーン判定手段３５は、検索した点灯指令シーンの番号が前回送信した点灯指令シーンの番号と同じか否かを判定し（Ｓ６５）、同じ場合にはステップＳ６１へ戻る。すなわち、複数の照明装置Ｌ１〜Ｌｉへの同報送信を行わない。ステップＳ６５において検索した点灯指令シーンの番号が前回送信した点灯指令シーンの番号と異なる場合には点灯指令シーン同報送信手段３６は、検索した点灯指令シーンの番号を複数の照明装置Ｌ１〜Ｌｉへ同報送信する（Ｓ６６）。
【００３２】
次に、照明装置Ｌ１〜Ｌｉにおける点灯動作について説明する。
図１５は、図１の照明装置Ｌ１〜Ｌｉ（以下、共通的に、「照明装置Ｌ」と記載する）を示すブロック図である。
図１５において、Ｃ１〜Ｃｉは全体を制御する制御部（ＣＰＵ）（以下、共通的に、「制御部Ｃ」と記載する）、７はデータを送受信する送受信部、８は不揮発性メモリとしてのＥＥＰＲＯＭ、９はＲＡＭ、１０は制御部Ｃからの制御データに基づいてパルス幅が制御されたパルスを出力してＬＥＤ１０ａにおける輝度を制御するパルス幅制御ドライブ部である。
【００３３】
図１６は、図１５の不揮発性メモリ８に登録したデータを示すデータ図である。図１６に示すように、不揮発性メモリ８には、パターン番号と、パターン番号に対応するシーン番号と、パターン番号の示す各パターン要素の各色の輝度（最大１００％）と、各パターン要素の遷移時間（各パターン要素での点灯時間）とを登録している。
【００３４】
図１７は、図１５の制御部Ｃの機能実現手段を示す機能ブロック図である。
図１７において、４１はスケジューラ２から送信された現在時刻の受信か、スケジューラ２から送信された点灯指令シーンの番号の受信か又はＮ秒毎にパターン要素の点灯を決定して発光素子を点灯させるためのＮ秒インターバルかを判定する処理判定手段、４２は処理判定手段４１において現在時刻の受信と判定したときは受信した現在時刻に基づいて時刻設定を行う時刻設定手段、４３は処理判定手段４１において点灯指令シーンの番号の受信と判定したときはシーン番号に対応したパターンデータを不揮発性メモリ８から読み出してＲＡＭ９に書き込む第１のＲＡＭ書込み手段、４４はＲＡＭ９からパターンデータを読み出す第１のＲＡＭ読出し手段、４５は読み出したパターンデータに基づいてパターン要素の区切りを算出する第１の演算処理手段、４６は算出したパターン要素の区切りに基づいて１パターンの区切りの算出および現在のパターン要素は何番目の要素かの判定を行う第２の演算処理手段、４７は第２の演算処理手段４６における結果のパターン要素で点灯する第１のパターン要素点灯手段、４８は読み出したパターンデータに基づいてパターン要素の区切りか否かを判定するパターン要素区切り判定手段、４３ａは処理判定手段４１においてＮ秒インターバルと判定したときはスケジューラから最終的に受け取ったシーン番号に対応するパターンデータを読み出してＲＡＭ９に書き込む第２のＲＡＭ書込み手段、４４ａはＲＡＭ９からパターンデータを読み出す第２のＲＡＭ読出し手段、４５ａは読み出したパターンデータに基づいてパターン要素の区切りを算出する第３の演算処理手段、４６ａはパターン要素区切り判定手段４８においてパターン要素の区切りと判定したときは算出したパターン要素の区切りに基づいて１パターンの区切りの算出および現在のパターン要素は何番目の要素かの判定を行う第４の演算処理手段、４７ａは第４の演算処理手段４６ａにおける結果のパターン要素で点灯する第２のパターン要素点灯手段である。
【００３５】
このように構成された照明装置Ｌの制御部Ｃについて、その動作を図１８を用いて説明する。図１８は照明装置Ｌの制御部Ｃの動作を示すフローチャートである。
図１８において、まず、処理判定手段４１は、スケジューラ２から送信された現在時刻の受信か、スケジューラ２から送信された点灯指令シーンの番号の受信か又はＮ秒インターバルかを判定する（Ｓ０３）。
【００３６】
ステップＳ０３において時刻合せデータの受信と判定したときは、時刻設定手段４２は、受信した現在時刻に基づいて時刻設定を行う（Ｓ７１）。
【００３７】
ステップＳ０３において点灯指令シーンの番号の受信と判定したときは、ＲＡＭ書込み手段４３（第１のＲＡＭ書込み手段）は、上記シーン番号に応じたパターン要素の集合体としてのパターンデータ（図１６参照）を不揮発性メモリ８から読み出してＲＡＭ９に書き込み（Ｓ８１）、ＲＡＭ読出し手段４４（第１のＲＡＭ読出し手段）は、ＲＡＭ９からパターンデータを読み出す（Ｓ８２）。次に、演算処理手段４５（第１の演算処理手段）は読み出したパターンデータに基づいてパターン要素の区切りを算出し（Ｓ８３）、演算処理手段４６（第２の演算処理手段）は、算出したパターン要素の区切りに基づいて１パターンの区切りの算出および現在のパターン要素は何番目の要素かの判定を行う（Ｓ８４）。次に、パターン要素点灯手段４７は、演算処理手段４６における結果のパターン要素で点灯する（Ｓ８５）。
【００３８】
ここで第１の演算処理手段４５と第２の演算処理手段４６の動作について、図１９を用いて説明する。図１９（ａ）は時刻０：００から時刻２４：００までのシーン番号を示すスケジュール図であり、図１９（ｂ）は上記シーン番号に対応するパターン番号のうちのパターン１を示すパターン図、図１９（ｃ）はパターン１を構成するパターン要素を示すパターン要素図である。なお、第３の演算処理手段４５ａの動作は第１の演算処理手段４５と同じであり、また第４の演算処理手段４６ａの動作は第２の演算処理手段４６と同じである。
第１の演算処理手段４５は、図１９（ｃ）に示すように、時刻０：００から時刻２４：００までの２４時間をスケジューラ２から送信される点灯指令シーンの番号により定まる或る特定のパターン（ここではパターン１）の遷移時間（ここでは２０秒）で割り、２４時間におけるパターン要素の区切りを算出する。つまり、種々のパターンについて、２４時間点灯した場合のパターン要素の区切りを算出する。第２の演算処理手段４６は、第１の演算処理手段４５の結果（パターン要素の２４時間展開）に対して、ステップ数（１パターンの要素数、図１９（ｃ）では１２）で割り、１パターンの区切りを算出し（特定パターンの２４時間展開、図１９（ｂ）参照）、現在時刻に対応するパターン（現在パターン）のどのパターン要素が現在時刻に対応しているかを算出する。
ここで、パターンとパターン要素を図１９の場合について説明する。まず、第１の演算処理手段４５は、２４時間をパターン要素の遷移時間２０秒（図１９（ｃ）参照）で割ってパターン要素の区切りを算出する。つまり、２４時間におけるパターン要素の要素数ＹＮを次式（１）で算出する。
ＹＮ＝２４時間÷２０秒＝４３２０（個）・・・・（１）
次に、第２の演算処理手段４６は、４３２０を１２（パターン１の１パターンにおける要素数）で割ってパターンの区切りを算出する。つまり、２４時間におけるパターン数ＰＮを次式（２）で算出する。
ＰＮ＝４３２０÷１２＝３６０（個）・・・・（２）
例えば、現在時刻が１６時２０分３０秒であれば、現在パターンは、０：００から４分間のパターンを先頭として、先頭から２４６番目のパターンである。これは、１６時間２０分÷４分＝２４５から求まる。
これにより、現在時刻において表示すべきパターン要素（パターン番号を含む）を決定することができ、各照明装置Ｌ１〜Ｌｉの時刻が一致していれば、各照明装置間において表示時刻とその表示時刻において表示すべき表示色とが一致した表示（表示遅れのない表示）を行うことができる。各照明装置Ｌ１〜Ｌｉの時刻は時刻設定手段４１の時刻設定により一致させることができる（Ｓ７１）。
【００３９】
ステップＳ０３（図１８）においてＮ秒インターバル（Ｎ秒毎に行われる処理）と判定したときは、第２のＲＡＭ書込み手段４３ａは、最終的に受け取ったシーン番号に対応するパターンデータを読み出してＲＡＭ９に書き込み（Ｓ９１）、第２のＲＡＭ読出し手段４４ａは、ＲＡＭ９からパターンデータを読み出す（Ｓ９２）。次に、第３の演算処理手段４５ａは、読み出したパターンデータに基づいてパターン要素の区切りを算出する（Ｓ９３）。次に、パターン要素区切り判定手段４８は、読み出したパターンデータに基づいてパターン要素の区切りか否かを判定する（Ｓ９４）。パターン要素の区切りであると判定したときは、第４の演算処理手段４６ａは、算出したパターン要素の区切りに基づいて１パターンの区切りの算出および現在のパターン要素は何番目の要素かの判定を行う（Ｓ９５）。次に、第２のパターン要素点灯手段４７ａは、第４の演算処理手段４６ａにおける結果のパターン要素で点灯する（Ｓ９６）。ステップＳ９４でパターン要素の区切りでないと判定したときは、この処理を終了する。
【００４０】
以上のように本実施の形態によれば、コントローラ１は、複数の照明装置Ｌ１〜Ｌｉのそれぞれについてのパターンデータを集合したシーンデータを作成して登録するシーン登録手段と、登録したシーンデータを複数の照明装置Ｌ１〜Ｌｉに送信するシーン送信手段と、スケジュールデータを作成して登録するスケジュール登録手段と、登録したスケジュールデータをスケジューラ２へ送信するスケジュール送信手段と、カレンダデータを作成して登録するカレンダ登録手段と、登録したカレンダデータをスケジューラ２へ送信するカレンダ送信手段とを有することにより、スケジューラ２はスケジュールデータとカレンダデータを登録し、各照明装置Ｌ１〜Ｌｉはパターンデータを登録しており、スケジューラ２はスケジュールデータとカレンダデータとに基づくパターン番号のみを各照明装置Ｌ１〜Ｌｉに送信すればよく、また各照明装置Ｌ１〜Ｌｉはパターン番号のみを受信してパターン制御を行うことができるので、コントローラの負担を従来と比べて大幅に軽減することができ、また照明システムにおける制御を極めて簡単なものにすることができる。
【００４１】
また、コントローラ１は、メインメニュー画面を表示するメインメニュー画面表示手段１１と、表示したメインメニュー画面における指示に基づいて、シーン登録手段、シーン送信手段、スケジュール登録手段、スケジュール送信手段、カレンダ登録手段またはカレンダ送信手段を選択する登録送信選択手段１２とを有することにより、メインメニュー画面に基づいて容易に各手段による各動作を行わせることができる。
【００４２】
さらに、スケジューラ２の制御部３は、スケジュールデータおよびカレンダデータを不揮発性メモリ５に記憶させることにより、いったん登録したスケジュールデータとカレンダデータとは消滅することがないので、再度登録する必要がない。
【００４３】
さらに、複数の照明装置Ｌ１〜Ｌｉの制御部Ｃ１〜Ｃｉは、パターンデータを不揮発性メモリ８に記憶させることにより、いったん登録したパターンデータは消滅することがないので、再度登録する必要がない。
【００４４】
さらに、シーン登録手段は、シーン一覧画面を表示するシーン一覧画面表示手段１３と、表示したシーン一覧画面における指示に基づいてシーン名称を選択するシーン名称選択手段１４と、選択したシーン名称に基づいてシーン登録画面を表示するシーン登録画面表示手段１５と、表示したシーン登録画面における指示に基づいてシーンを作成して登録するシーン作成手段１６とを有することにより、シーン作成登録の操作において、操作者は表示画面のみを見て操作すればよく、操作を簡単かつ確実に行うことができる。
【００４５】
さらに、シーン送信手段は、シーン一覧画面を表示するシーン一覧画面表示手段１３と、表示したシーン一覧画面における指示に基づいてシーン名称を選択するシーン名称選択手段１４と、選択したシーン名称に基づくシーンを複数の照明装置Ｌ１〜Ｌｉへ送信する照明装置送信手段１７とを有することにより、操作者は表示画面のみを見て操作すればよく、シーンを簡単かつ確実に送信することができる。
【００４６】
さらに、スケジュール登録手段は、スケジュール一覧画面を表示するスケジュール一覧画面表示手段１８と、表示したスケジュール一覧画面における指示に基づいてスケジュール名称を選択するスケジュール名称選択手段１９と、選択したスケジュール名称に基づいてスケジュール登録画面を表示するスケジュール登録画面表示手段２０と、表示したスケジュール登録画面における指示に基づいてスケジュールを作成して登録するスケジュール作成手段２１とを有することにより、スケジュール作成登録の操作において、操作者は表示画面のみを見て操作すればよく、操作を簡単かつ確実に行うことができる。
【００４７】
さらに、スケジュール送信手段は、スケジュール一覧画面を表示するスケジュール一覧画面表示手段１８と、表示したスケジュール一覧画面における指示に基づいてスケジュール名称を選択するスケジュール名称選択手段１９と、選択したスケジュール名称に対応するスケジュールデータをスケジューラへ送信するスケジューラ送信手段２２とを有することにより、操作者は表示画面のみを見て操作すればよく、スケジュールデータを簡単かつ確実に送信することができる。
【００４８】
さらに、カレンダ登録手段は、カレンダ登録画面を表示するカレンダ登録画面表示手段２３と、表示したカレンダ登録画面における指示に基づいて年月日を選択する登録年月日選択手段２４と、表示したカレンダ登録画面における指示に基づいてスケジュール名称を選択するスケジュール名称選択手段１９と、表示したカレンダ登録画面における指示に基づいてカレンダ作成完了か否かを判定すると共にカレンダ作成完了の場合には作成完了したカレンダデータを登録する作成完了判定手段２５とを有することにより、カレンダ作成登録の操作において、操作者は表示画面のみを見て操作すればよく、操作を簡単かつ確実に行うことができる。
【００４９】
さらに、カレンダ送信手段は、カレンダ登録画面を表示するカレンダ登録画面表示手段２３と、表示したカレンダ登録画面における指示に基づいて選択したカレンダデータをスケジューラへ送信するスケジューラ送信手段２２とを有することにより、操作者は表示画面のみを見て操作すればよく、カレンダデータを簡単かつ確実に送信することができる。
【００５０】
さらに、スケジューラ２の制御部３は、時刻合せインターバルタイムが経過したか否かを判定する時間経過判定手段３１と、時間経過判定手段３１において時刻合せインターバルタイムが経過したと判定したときには実時間クロック６から現在時刻を読み出す時刻読出し手段３２と、読み出した現在時刻をネットワークを介して複数の照明装置Ｌ１〜Ｌｉへ同報送信する現在時刻同報送信手段３３と、時間経過判定手段３１において時刻合せインターバルタイムが経過していないと判定したとき又は同報送信した後には現在日時に基づいてカレンダデータが登録されたカレンダ部５１およびスケジュールデータが登録されたスケジュール部５２から点灯指令シーンを検索する点灯指令シーン検索手段３４と、検索した点灯指令シーンの番号を複数の照明装置Ｌ１〜Ｌｉへ同報送信する点灯指令シーン同報送信手段３６とを有することにより、時刻合せインターバルタイムが経過した場合には実時間クロック６から現在時刻を読み出し、読み出した現在時刻をネットワークを介して複数の照明装置Ｌ１〜Ｌｉへ同報送信するので、複数の照明装置Ｌ１〜Ｌｉは互いに正確な時刻合せを行うことができ、その合せた時刻に応じてパターン要素を選択してパターン表示を行うことができ、パターン表示において各照明装置間に伝送遅れが生じることを防止することができ、また、カレンダデータとスケジュールデータに基づいて検索した点灯指令シーンの番号を各照明装置へ送信するようにしたので、各照明装置への送信を短時間に行うことができると共に各照明装置の制御を容易に行うことができる。
【００５１】
さらに、照明装置Ｌ１〜Ｌｉの制御部Ｃ１〜Ｃｉは、読み出した現在時刻の受信か、点灯指令シーンの番号の受信か又はＮ秒毎にパターン要素の点灯を決定して点灯させるためのＮ秒インターバルかを判定する処理判定手段４１と、処理判定手段４１において読み出した現在時刻の受信と判定したときは受信した現在時刻に基づいて時刻設定を行う時刻設定手段４２と、処理判定手段４１において点灯指令シーンの番号の受信と判定したときは点灯指令シーンの番号に対応したパターンデータを不揮発性メモリ８から読み出してＲＡＭ９に書き込む第１のＲＡＭ書込み手段４３と、ＲＡＭ９からパターンデータを読み出す第１のＲＡＭ読出し手段４４と、読み出したパターンデータに基づいてパターン要素の区切りを算出する第１の演算処理手段４５と、算出したパターン要素の区切りに基づいて１パターンの区切りの算出および現在のパターン要素は何番目の要素かの判定を行う第２の演算処理手段４６と、第２の演算処理手段４６における結果のパターン要素で点灯する第１のパターン要素点灯手段４７と、処理判定手段４１においてＮ秒インターバルと判定したときはスケジューラ２から最終的に受け取ったシーン番号に対応するパターンデータを読み出してＲＡＭ９に書き込む第２のＲＡＭ書込み手段４３ａと、ＲＡＭ９からパターンデータを読み出す第２のＲＡＭ読出し手段４４ａと、読み出したパターンデータに基づいてパターン要素の区切りを算出する第３の演算処理手段４５ａと、読み出したパターンデータに基づいてパターン要素の区切りか否かを判定するパターン要素区切り判定手段４８と、パターン要素区切り判定手段４８においてパターン要素の区切りと判定したときは算出したパターン要素の区切りに基づいて１パターンの区切りの算出および現在のパターン要素は何番目の要素かの判定を行う第４の演算処理手段４６ａと、第４の演算処理手段における結果のパターン要素で点灯する第２のパターン要素点灯手段４７ａとを有することにより、スケジューラ２から同報送信される現在時刻を受信したときには受信した現在時刻に基づいて時刻設定を行うので、各照明装置における時刻を互いに正確に一致させることができ、また、スケジューラ２から同報送信される点灯指令シーンの番号を受信したときは、シーン番号に対応したパターンデータを不揮発性メモリから読み出し、正確に設定した時刻により選択したパターン要素に基づいて各照明装置における発光素子（たとえばＬＥＤ）を点灯させることができ、さらに、Ｎ秒毎に現在時刻におけるパターン要素を確認して正確なパターン要素を選択することができるので、パターン要素に基づく各発光素子の点灯を伝送遅れなく正確に行うことができる。
【００５２】
【発明の効果】
以上説明したように本発明の請求項１に記載の照明システムによれば、２４時間を複数のシーンデータで構成したスケジュールデータや年月日とスケジュールデータとを対応付けたカレンダデータ、複数のパターン要素データから成るパターンデータを作成して登録するコントローラと、スケジュールデータやカレンダデータをコントローラから受信して登録するスケジューラと、パターンデータをコントローラから受信して登録する複数の照明装置とを有する照明システムであって、コントローラは、複数の照明装置のそれぞれについてのパターンデータを集合したシーンデータを作成して登録するシーン登録手段と、登録したシーンデータを複数の照明装置に送信するシーン送信手段と、スケジュールデータを作成して登録するスケジュール登録手段と、登録したスケジュールデータをスケジューラへ送信するスケジュール送信手段と、カレンダデータを作成して登録するカレンダ登録手段と、登録したカレンダデータをスケジューラへ送信するカレンダ送信手段とを有することにより、スケジューラはスケジュールデータとカレンダデータを登録し、各照明装置はパターンデータを登録しており、スケジューラはスケジュールデータとカレンダデータとに基づくパターン番号のみを各照明装置に送信すればよく、また各照明装置はパターン番号のみを受信してパターン制御を行うことができるので、コントローラの負担を従来と比べて大幅に軽減することができ、また照明システムにおける制御を極めて簡単なものにすることができるという有利な効果が得られる。
【００５３】
請求項２に記載の照明システムによれば、請求項１に記載の照明システムにおいて、コントローラは、メインメニュー画面を表示するメインメニュー画面表示手段と、表示したメインメニュー画面における指示に基づいて、シーン登録手段、シーン送信手段、スケジュール登録手段、スケジュール送信手段、カレンダ登録手段またはカレンダ送信手段を選択する登録送信選択手段とを有することにより、メインメニュー画面に基づいて容易に各手段による各動作を行わせることができるという有利な効果が得られる。
【００５４】
請求項３に記載の照明システムによれば、請求項１または２に記載の照明システムにおいて、スケジューラの制御部は、スケジュールデータおよびカレンダデータを不揮発性メモリに記憶させることにより、いったん登録したスケジュールデータとカレンダデータとは消滅することがないので、再度登録する必要がないという有利な効果が得られる。
【００５５】
請求項４に記載の照明システムによれば、請求項１乃至３のいずれか１に記載の照明システムにおいて、複数の照明装置の制御部は、パターンデータを不揮発性メモリに記憶させることにより、いったん登録したパターンデータは消滅することがないので、再度登録する必要がないという有利な効果が得られる。
【００５６】
請求項５に記載の照明システムによれば、請求項１乃至４のいずれか１に記載の照明システムにおいて、シーン登録手段は、シーン一覧画面を表示するシーン一覧画面表示手段と、表示したシーン一覧画面における指示に基づいてシーン名称を選択するシーン名称選択手段と、選択したシーン名称に基づいてシーン登録画面を表示するシーン登録画面表示手段と、表示したシーン登録画面における指示に基づいてシーンを作成して登録するシーン作成手段とを有することにより、シーン作成登録の操作において、操作者は表示画面のみを見て操作すればよく、操作を簡単かつ確実に行うことができるという有利な効果が得られる。
【００５７】
請求項６に記載の照明システムによれば、請求項１乃至５のいずれか１に記載の照明システムにおいて、シーン送信手段は、シーン一覧画面を表示するシーン一覧画面表示手段と、表示したシーン一覧画面における指示に基づいてシーン名称を選択するシーン名称選択手段と、選択したシーン名称に基づくシーンを複数の照明装置へ送信する照明装置送信手段とを有することにより、操作者は表示画面のみを見て操作すればよく、シーンを簡単かつ確実に送信することができるという有利な効果が得られる。
【００５８】
請求項７に記載の照明システムによれば、請求項１乃至６のいずれか１に記載の照明システムにおいて、スケジュール登録手段は、スケジュール一覧画面を表示するスケジュール一覧画面表示手段と、表示したスケジュール一覧画面における指示に基づいてスケジュール名称を選択するスケジュール名称選択手段と、選択したスケジュール名称に基づいてスケジュール登録画面を表示するスケジュール登録画面表示手段と、表示したスケジュール登録画面における指示に基づいてスケジュールを作成して登録するスケジュール作成手段とを有することにより、スケジュール作成登録の操作において、操作者は表示画面のみを見て操作すればよく、操作を簡単かつ確実に行うことができるという有利な効果が得られる。
【００５９】
請求項８に記載の照明システムによれば、請求項１乃至７のいずれか１に記載の照明システムにおいて、スケジュール送信手段は、スケジュール一覧画面を表示するスケジュール一覧画面表示手段と、表示したスケジュール一覧画面における指示に基づいてスケジュール名称を選択するスケジュール名称選択手段と、選択したスケジュール名称に対応するスケジュールデータをスケジューラへ送信するスケジューラ送信手段とを有することにより、操作者は表示画面のみを見て操作すればよく、スケジュールデータを簡単かつ確実に送信することができるという有利な効果が得られる。
【００６０】
請求項９に記載の照明システムによれば、請求項１乃至８のいずれか１に記載の照明システムにおいて、カレンダ登録手段は、カレンダ登録画面を表示するカレンダ登録画面表示手段と、表示したカレンダ登録画面における指示に基づいて年月日を選択する登録年月日選択手段と、表示したカレンダ登録画面における指示に基づいてスケジュール名称を選択するスケジュール名称選択手段と、表示したカレンダ登録画面における指示に基づいてカレンダ作成完了か否かを判定すると共にカレンダ作成完了の場合には作成完了したカレンダデータを登録する作成完了判定手段とを有することにより、カレンダ作成登録の操作において、操作者は表示画面のみを見て操作すればよく、操作を簡単かつ確実に行うことができるという有利な効果が得られる。
【００６１】
請求項１０に記載の照明システムによれば、請求項１乃至９のいずれか１に記載の照明システムにおいて、カレンダ送信手段は、カレンダ登録画面を表示するカレンダ登録画面表示手段と、表示したカレンダ登録画面における指示に基づいて選択したカレンダデータをスケジューラへ送信するスケジューラ送信手段とを有することにより、操作者は表示画面のみを見て操作すればよく、カレンダデータを簡単かつ確実に送信することができるという有利な効果が得られる。
【００６２】
請求項１１に記載の照明システムによれば、請求項１乃至１０のいずれか１に記載の照明システムにおいて、スケジューラの制御部は、時刻合せインターバルタイムが経過したか否かを判定する時間経過判定手段と、時間経過判定手段において時刻合せインターバルタイムが経過したと判定したときには実時間クロックから現在時刻を読み出す時刻読出し手段と、読み出した現在時刻をネットワークを介して複数の照明装置へ同報送信する現在時刻同報送信手段と、時間経過判定手段において時刻合せインターバルタイムが経過していないと判定したとき又は同報送信した後には現在日時に基づいてカレンダデータが登録されたカレンダ部およびスケジュールデータが登録されたスケジュール部から点灯指令シーンを検索する点灯指令シーン検索手段と、検索した点灯指令シーンの番号を複数の照明装置へ同報送信する点灯指令シーン同報送信手段とを有することにより、時刻合せインターバルタイムが経過した場合には実時間クロックから現在時刻を読み出し、読み出した現在時刻をネットワークを介して複数の照明装置へ同報送信するので、複数の照明装置は互いに正確な時刻合せを行うことができ、その合せた時刻に応じてパターン要素を選択してパターン表示を行うことができ、パターン表示において各照明装置間に伝送遅れが生じることを防止することができ、また、カレンダデータとスケジュールデータに基づいて検索した点灯指令シーンの番号を各照明装置へ送信するようにしたので、各照明装置への送信を短時間に行うことができると共に各照明装置の制御を容易に行うことができるという有利な効果が得られる。
【００６３】
請求項１２に記載の照明システムによれば、請求項１１に記載の照明システムにおいて、照明装置の制御部は、読み出した現在時刻の受信か、点灯指令シーンの番号の受信か又はＮ秒毎にパターン要素の点灯を決定して点灯させるためのＮ秒インターバルかを判定する処理判定手段と、処理判定手段において読み出した現在時刻の受信と判定したときは受信した現在時刻に基づいて時刻設定を行う時刻設定手段と、処理判定手段において点灯指令シーンの番号の受信と判定したときは点灯指令シーンの番号に対応したパターンデータを不揮発性メモリから読み出してＲＡＭに書き込む第１のＲＡＭ書込み手段と、ＲＡＭからパターンデータを読み出す第１のＲＡＭ読出し手段と、読み出したパターンデータに基づいてパターン要素の区切りを算出する第１の演算処理手段と、算出したパターン要素の区切りに基づいて１パターンの区切りの算出および現在のパターン要素は何番目の要素かの判定を行う第２の演算処理手段と、第２の演算処理手段における結果のパターン要素で点灯する第１のパターン要素点灯手段と、処理判定手段においてＮ秒インターバルと判定したときはスケジューラから最終的に受け取ったシーン番号に対応するパターンデータを読み出してＲＡＭに書き込む第２のＲＡＭ書込み手段と、ＲＡＭからパターンデータを読み出す第２のＲＡＭ読出し手段と、読み出したパターンデータに基づいてパターン要素の区切りを算出する第３の演算処理手段と、読み出したパターンデータに基づいてパターン要素の区切りか否かを判定するパターン要素区切り判定手段と、パターン要素区切り判定手段においてパターン要素の区切りと判定したときは算出したパターン要素の区切りに基づいて１パターンの区切りの算出および現在のパターン要素は何番目の要素かの判定を行う第４の演算処理手段と、第４の演算処理手段における結果のパターン要素で点灯する第２のパターン要素点灯手段とを有することにより、スケジューラから同報送信される現在時刻を受信したときには受信した現在時刻に基づいて時刻設定を行うので、各照明装置における時刻を互いに正確に一致させることができ、また、スケジューラから同報送信される点灯指令シーンの番号を受信したときは、シーン番号に対応したパターンデータを不揮発性メモリから読み出し、正確に設定した時刻により選択したパターン要素に基づいて各照明装置における発光素子（たとえばＬＥＤ）を点灯させることができ、さらに、Ｎ秒毎に現在時刻におけるパターン要素を確認して正確なパターン要素を選択することができるので、パターン要素に基づく各発光素子の点灯を伝送遅れなく正確に行うことができるという有利な効果が得られる。
【図面の簡単な説明】
【図１】本発明の実施の形態１による照明システムを示すブロック図
【図２】コントローラにおいて登録動作を行う各種手段を示す機能ブロック図
【図３】図２のスケジュール作成手段を示す機能ブロック図
【図４】照明システムにおける登録動作を示すフローチャート
【図５】メインメニュー画面を示す画面図
【図６】照明シーン一覧画面を示す画面図
【図７】照明シーン登録画面を示す画面図
【図８】照明スケジュール一覧画面を示す画面図
【図９】照明スケジュール登録画面を示す画面図
【図１０】カレンダ登録画面を示す画面図
【図１１】図１の照明システムを構成するスケジューラを示すブロック図
【図１２】図１１の不揮発性メモリの登録領域を示すデータ図
【図１３】スケジューラの制御部における機能実現手段を示す機能ブロック図
【図１４】図１１の制御部の動作を示すフローチャート
【図１５】図１の照明装置を示すブロック図
【図１６】図１５の不揮発性メモリに登録したデータを示すデータ図
【図１７】図１５の制御部の機能実現手段を示す機能ブロック図
【図１８】照明装置の制御部の動作を示すフローチャート
【図１９】（ａ）時刻０：００から時刻２４：００までのシーン番号を示すスケジュール図
（ｂ）シーン番号に対応するパターン番号のうちの特定のパターン番号を示すパターン図
（ｃ）特定のパターンを構成するパターン要素を示すパターン要素図
【図２０】従来の照明システムを示すブロック図
【符号の説明】
１  コントローラ（ＰＣ）
１ａ  ネットワーク
２  スケジューラ
３、Ｃ、Ｃ１〜Ｃｉ  制御部
Ｌ、Ｌ１〜Ｌｉ  照明装置
４、７  送受信部
５、８  不揮発性メモリ（ＥＥＰＲＯＭ）
６  実時間クロック（ＲＴＣ）
９  ＲＡＭ
１０  パルス幅制御ドライブ部
１０ａ  ＬＥＤ（発光素子）
１１  メインメニュー画面表示手段
１２  登録送信選択手段
１３  シーン一覧画面表示手段
１４  シーン名称選択手段
１５  シーン登録画面表示手段
１６  シーン作成手段
１７  照明装置送信手段
１８  スケジュール一覧画面表示手段
１９  スケジュール名称選択手段
２０  スケジュール登録画面表示手段
２１  スケジュール作成手段
２２  スケジューラ送信手段
２３  カレンダ登録画面表示手段
２４  登録年月日選択手段
２５  作成完了判定手段
２６  カラーパレット
２７  パターン要素
３１  時間経過判定手段
３２  時刻読出し手段
３３  現在時刻同報送信手段
３４  点灯指令シーン検索手段
３５  点灯指令シーン判定手段
３６  点灯指令シーン同報送信手段
４１  処理判定手段
４２  時刻設定手段
４３  第１のＲＡＭ書込み手段
４３ａ  第２のＲＡＭ書込み手段
４４  第１のＲＡＭ読出し手段
４４ａ  第２のＲＡＭ読出し手段
４５  第１の演算処理手段
４５ａ  第３の演算処理手段
４６  第２の演算処理手段
４６ａ  第４の演算処理手段
４７  第１のパターン要素点灯手段
４７ａ  第２のパターン要素点灯手段
４８  パターン要素区切り判定手段
５１  カレンダ部
５２  スケジュール部
２１１  シーン終了時刻入力手段
２１２  シーン名称特定手段
２１３  終了時刻判定手段
【図１】
2004158370.tif 000003
【図２】
2004158370.tif 000004
【図３】
2004158370.tif 000005
【図４】
2004158370.tif 000006
【図５】
2004158370.tif 000007
【図６】
2004158370.tif 000008
【図７】
2004158370.tif 000009
【図８】
2004158370.tif 000010
【図９】
2004158370.tif 000011
【図１０】
2004158370.tif 000012
【図１１】
2004158370.tif 000013
【図１２】
2004158370.tif 000014
【図１３】
2004158370.tif 000015
【図１４】
2004158370.tif 000016
【図１５】
2004158370.tif 000017
【図１６】
2004158370.tif 000018
【図１７】
2004158370.tif 000019
【図１８】
2004158370.tif 000020
【図１９】
2004158370.tif 000021
【図２０】
2004158370.tif 000022